(57)【特許請求の範囲】
【請求項１】
右目用映像と左目用映像がそれぞれ所定方向に圧縮されて並べて伝送される３次元映像を入力し、フレームシーケンシャル方式で表示を行うとともに、ユーザが操作を選択するためのメニュー表示を前記３次元映像の表示に重ねて行う映像表示装置であって、
前記３次元映像を３次元映像の再生に非対応の機器から入力した際に、前記右目用映像と前記左目用映像の画素を比較する画素比較手段と、
前記比較の結果を基に、前記右目用映像と前記左目用映像とで色が異なる領域が１箇所である場合、前記右目用映像と前記左目用映像のそれぞれから前記１箇所の領域を検出する領域検出手段と、
前記右目用映像において、前記右目用映像から検出した前記１箇所の領域の色と、当該領域の周囲の色とを比較し、かつ、前記左目用映像において、前記左目用映像から検出した前記１箇所の領域の色と、当該領域の周囲の色とを比較し、当該２つの比較の結果、周囲の色と異なる色をした領域の方を、前記メニュー表示の領域と判定する領域判定手段と、
前記判定したメニュー表示の領域の映像を等倍で前記右目用映像と前記左目用映像の両方に表示するように制御する表示制御手段と、
を有することを特徴とする映像表示装置。
【請求項２】
前記領域検出手段は、
前記色が異なる領域が前記右目用映像または前記左目用映像における右端を含む領域と左端を含む領域との２箇所である場合、前記２箇所の領域のうち右端を含む領域を前記右目用映像から検出するとともに、前記２箇所の領域のうち左端を含む領域を前記左目用映像から検出し、
前記領域判定手段は、
前記右目用映像から検出した前記右端を含む領域と、前記左目用映像から検出した前記左端を含む領域とが並ぶライン上において、当該２箇所の領域以外の領域を、前記メニュー表示の領域であると判定することを特徴とする請求項１記載の映像表示装置。
【請求項３】
前記表示制御手段は、
前記領域判定手段により判定されたメニュー表示の領域の映像を３次元で表示し、当該表示を前記３次元映像の表示よりもユーザ側に表示するように制御することを特徴とする請求項１または２に記載の映像表示装置。
【発明の詳細な説明】
【技術分野】
【０００１】
本発明は、映像の３次元表示を可能とする映像表示装置に関する。
【背景技術】
【０００２】
３次元（３Ｄ）映像の分野においては、以下の技術が知られている。１つは、３次元映像の伝送方式として、右目用映像と左目用映像をそれぞれ所定方向に１／２に圧縮し、それらの映像を並べて伝送する技術である。この例としては、サイドバイサイドやトップアンドボトムが挙げられる。もう１つは、３次元映像の表示方式として、右目用映像と左目用映像を高速に切り替えることで、交互に画面上に表示する技術である。この例としては、フレームシーケンシャルが挙げられる。
【０００３】
ところで、３Ｄ再生に対応したディスプレイ（映像表示装置）と、３Ｄ再生に対応していないプレイヤとを組み合わせた場合において、ディスプレイが、例えばサイドバイサイドの３次元映像をプレイヤから入力してフレームシーケンシャルで表示すると、問題が生じる。この問題について図５を用いて以下に説明する。
【０００４】
図５（ａ）は、ディスプレイにおいて、プレイヤから入力したサイドバイサイドの３次元映像を２次元で表示し、かつ、ディスプレイが備えているメニュー表示機能により、ユーザが操作を選択するためのメニュー映像を２次元で表示した例を示している。このメニュー映像は、プレイヤから伝送されてくる３次元映像には含まれておらず、ディスプレイの画面上において予め定められた位置に表示される２次元映像である。図５（ａ）の例では、メニュー映像は、左目用映像（以下Ｌ映像という）と右目用映像（以下Ｒ映像という）の両方に跨って、画面下部の矩形の領域１に表示されている。また、図５（ａ）の例では、３次元映像は、Ｌ映像とＲ映像の各領域２にそれぞれ表示されている。
【０００５】
図５（ｂ）は、ディスプレイにおいて、図５（ａ）に示す映像全体をフレームシーケンシャルで表示した例を示している。フレームシーケンシャルでの表示を行う際、ディスプレイは、図５（ａ）に示すＬ映像とＲ映像をそれぞれ水平方向（長手方向）に２倍に引き伸ばした上で、それらの映像を高速で交互に切り替えて表示する。図５（ｂ）の例では、Ｌ映像とＲ映像を交互に切り替えて表示したときを示している。図５（ｂ）に示すように、メニュー映像は、領域３、４、５にわたって崩れた表示（２次元表示）となり、文字全体が横長に変形したり、各文字が分離したりする。そのため、ユーザは、メニュー映像が見にくくなる。また、引き伸ばされたＬ映像とＲ映像は異なるものとなるため、Ｌ映像とＲ映像が高速に切り替えられても３次元表示とはならない。よって、ユーザは、異なる２つの映像が高速で交互に２次元表示されるといった、異常な映像を見ることを強いられる。
【０００６】
このような、３次元映像の表示とメニュー映像の表示を見易くするための例として、例えば特許文献１に開示されている技術がある。しかしながら、この技術では、ディスプレイを２つ用意し、各ディスプレイにおいて２次元表示と３次元表示とを分けて行うことを解決手段としている。すなわち、特許文献１の技術では、３次元映像の表示と、メニュー映像の表示とを重ねて表示しながらの見易さを改善することはできない。
【先行技術文献】
【特許文献】
【０００７】
【特許文献１】特開２００２−９１６４３号公報
【発明の概要】
【発明が解決しようとする課題】
【０００８】
本発明は、上記事情に鑑みてなされたものであり、３Ｄ再生非対応機器から入力された３次元映像の表示と、映像表示装置にて提供されるメニュー映像の表示とを重ねて表示したときの見易さを改善することができる映像表示装置を提供することを目的とする。
【課題を解決するための手段】
【０００９】
かかる目的を達成するために、本発明の映像表示装置は、右目用映像と左目用映像がそれぞれ所定方向に圧縮されて並べて伝送される３次元映像を入力し、フレームシーケンシャル方式で表示を行うとともに、ユーザが操作を選択するためのメニュー表示を３次元映像の表示に重ねて行う映像表示装置であって、３次元映像を３次元映像の再生に非対応の機器から入力した際に、右目用映像と左目用映像の画素を比較する画素比較手段と、比較の結果を基に、右目用映像と左目用映像とで色が異なる領域が１箇所である場合、右目用映像と左目用映像のそれぞれから１箇所の領域を検出する領域検出手段と、右目用映像において、右目用映像から検出した１箇所の領域の色と、当該領域の周囲の色とを比較し、かつ、左目用映像において、左目用映像から検出した１箇所の領域の色と、当該領域の周囲の色とを比較し、当該２つの比較の結果、周囲の色と異なる色をした領域の方を、メニュー表示の領域と判定する領域判定手段と、判定したメニュー表示の領域の映像を等倍で右目用映像と左目用映像の両方に表示するように制御する表示制御手段と、を有することを特徴とする。
【発明の効果】
【００１０】
本発明によれば、３Ｄ再生非対応機器から入力された３次元映像の表示と、映像表示装置にて提供されるメニュー映像の表示とを重ねて表示したときの見易さを改善することが可能となる。
【図面の簡単な説明】
【００１１】
【図１】本発明の一実施形態に係る映像表示装置の構成例を示すブロック図である。
【図２】本発明の一実施形態に係る映像表示装置の動作例を示すフローチャートである。
【図３】本発明の一実施形態に係る映像表示装置の動作例１を説明するためのイメージ図である。
【図４】本発明の一実施形態に係る映像表示装置の動作例２を説明するためのイメージ図である。
【図５】３Ｄ再生対応ディスプレイが３Ｄ再生非対応プレイヤから入力したサイドバイサイドの３次元映像をフレームシーケンシャルで表示したときに生じる問題の具体例を説明するためのイメージ図である。
【発明を実施するための形態】
【００１２】
以下、本発明を実施するための形態（実施形態）について添付図面を参照して詳細に説明する。
【００１３】
まず、図１を参照して、本実施形態の映像表示装置の構成例について説明する。本実施形態の映像表示装置は、例えばテレビやパソコンのディスプレイに適用できるが、これらに限定されない。
【００１４】
本実施形態の映像表示装置は、３Ｄ再生に対応しており、図１に示すように、外部（機器やネットワーク）から、例えばサイドバイサイドで伝送される３次元映像が入力されると、フレームシーケンシャルでの表示を行う。また、本実施形態の映像表示装置は、ユーザが操作を選択するためのメニューを、画面上の所定位置に表示する。このメニュー表示は２Ｄである。なお、上述した外部から３次元映像を入力するための手段やメニューを表示するための手段は、公知技術を用いるものとし、詳細な説明及び図示は省略する。本実施形態では、外部から入力される映像として、サイドバイサイドの３次元映像を例に説明する。
【００１５】
本実施形態の映像表示装置は、その特徴として、図１に示すように、画素比較手段１１、領域検出手段１２、領域判定手段１３、表示制御手段１４を備えている。これらの手段は、例えばＣＰＵ（Central Processing Unit）やＲＡＭ（Random Access Memory）といったハードウェアで実現されるが、これらに限定されない。
【００１６】
画素比較手段１１は、３次元映像の再生に非対応の機器からサイドバイサイドの３次元映像を入力した際に、右目用映像と左目用映像の画素を比較する。
【００１７】
領域検出手段１２は、画素比較手段１１による比較結果に基づいて、右目用映像と左目用映像とで色が異なる領域を検出する。
【００１８】
領域判定手段１３は、領域検出手段１２により検出された領域に基づいて、メニュー表示の領域を判定する。
【００１９】
表示制御手段１４は、領域判定手段１３により判定されたメニュー表示の領域の映像を等倍で右目用映像と左目用映像の両方に表示するように制御する。
【００２０】
次に、以上のように構成された本実施形態の映像表示装置の動作例について説明する。動作例は２つあり、それぞれ図面を用いて順に説明する。
【００２１】
〔動作例１〕
本動作例は、本実施形態の映像表示装置が３Ｄ再生非対応プレイヤ（以下プレイヤという）からサイドバイサイドの３次元映像を入力した場合で、かつ、メニュー表示がＬ映像（左目用映像）とＲ映像（右目用画像）の両方に跨るものである場合の動作である。本動作例について図２及び図３を用いて以下に説明する。
【００２２】
まず、プレイヤからサイドバイサイドの３次元映像が映像表示装置に入力されると、画素比較手段１１は、Ｌ映像とＲ映像の画素を比較する（図２のＳ１）。画素が比較されるＬ映像とＲ映像の例を図３（ａ）に示す。図３（ａ）の例は、上述した図５（ａ）と同じレイアウトである。領域１に示されるメニュー映像において、例えば、「メニュー」という文字の色は黒、その文字の背景の色は黄であるとする。また、各領域２に示される３次元映像において、例えば、楕円の色は赤、その背景の色は青であるとする。なお、このＳ１の時点では、映像表示装置は、領域１の映像がメニュー映像であるとは判定していない。
【００２３】
次に、領域検出手段１２は、画素比較手段１１による比較結果を基に、Ｌ映像とＲ映像とで色が異なる領域を検出する（図２のＳ２）。この検出例について、図３（ｂ）を用いて説明する。Ｌ映像の領域６は青であるが、その領域と同じ位置であるＲ映像の領域７は黄と黒であるので、色が異なることになる。また、Ｌ映像の領域８が黄と黒であるが、その領域と同じ位置であるＲ映像の領域９は青であるので、色が異なることになる。すなわち、Ｌ映像とＲ映像とで色が異なる領域は２箇所である。このとき、領域検出手段１２は、Ｌ映像から領域６を、Ｒ映像から領域９を、Ｌ映像とＲ映像とで色が異なる領域としてそれぞれ検出する。なお、領域６と領域９は矩形である。またここでは、領域検出手段１２により検出される領域が領域６と領域９の２箇所である場合を例として説明するが、検出される領域は３箇所以上であってもよい。
【００２４】
次に、領域判定手段１３は、領域検出手段１２によって検出された領域を基に、メニュー映像が表示されている領域（以下メニュー表示領域という）がどこであるかを判定する（図２のＳ３）。この判定例について、図３（ｃ）を用いて説明する。領域判定手段１３は、Ｌ映像から検出した領域６とＲ映像から検出した領域９と同じライン（水平方向のライン）上にあり、かつ、領域６及び領域９のいずれにも該当しない領域を、メニュー表示領域として判定する。よって、領域判定手段１３は、領域６と領域９の間に位置する領域１がメニュー表示領域であると判定する。なお、領域１は矩形である。
【００２５】
次に、表示制御手段１４は、領域判定手段１３によって判定されたメニュー表示領域の映像を、等倍でＬ映像とＲ映像の両方に表示するよう制御する（図２のＳ４）。すなわち、表示制御手段１４は、図３（ｃ）に示すメニュー表示領域１の映像を、等倍でＬ映像とＲ映像の両方に表示するように制御する。これと同時に、表示制御手段１４は、図３（ｃ）に示す領域６及び領域９の映像をそれぞれ水平方向に２倍に引き伸ばしてＬ映像とＲ映像の両方に表示するよう制御し、かつ、図３（ｃ）に示す領域２の映像をそれぞれ水平方向に２倍に引き伸ばしてフレームシーケンシャルで表示するように制御する。このような制御により、図３（ｄ）に示す表示が行われる。図３（ｄ）の例では、Ｌ映像とＲ映像を交互に切り替えて表示したときを示している。図３（ｄ）に示す表示により、図３（ｃ）の各領域２に表示される楕円は３次元表示となり、ユーザには立体化された円に見えるようになる一方で、メニュー映像は、２次元表示ではあるが、図５（ｂ）に示すような崩れた表示にはならず、ユーザにとって見易い表示となる。
【００２６】
〔動作例２〕
本動作例は、本実施形態の映像表示装置がプレイヤ（３Ｄ再生非対応）からサイドバイサイドの３次元映像を入力した場合で、かつ、メニュー表示がＬ映像（左目用映像）とＲ映像（右目用画像）のいずれか一方に収まるものである場合の動作である。本動作例について図２及び図４を用いて以下に説明する。
【００２７】
まず、プレイヤからサイドバイサイドの３次元映像が映像表示装置に入力されると、画素比較手段１１は、Ｌ映像とＲ映像の画素を比較する（図２のＳ１）。画素が比較されるＬ映像とＲ映像の例を図４（ａ）に示す。図４（ａ）の例では、メニュー映像がＬ映像に収まって表示されている。領域１に示されるメニュー映像において、例えば、「メニュー」という文字の色は黒、その文字の背景の色は黄であるとする。また、各領域２に示される３次元映像において、例えば、楕円の色は赤、その背景の色は青であるとする。
【００２８】
次に、領域検出手段１２は、画素比較手段１１による比較結果を基に、Ｌ映像とＲ映像とで色が異なる領域を検出する（図２のＳ２）。この検出例について、図４（ｂ）を用いて説明する。Ｌ映像の領域１は黄と黒であるが、その領域と同じ位置であるＲ映像の領域１０は青であるので、色が異なることになる。すなわち、Ｌ映像とＲ映像とで色が異なる領域は１箇所である。このとき、領域検出手段１２は、Ｌ映像から領域１を、Ｒ映像から領域１０を、Ｌ映像とＲ映像とで色が異なる領域としてそれぞれ検出する。なお、領域１と領域１０は矩形である。
【００２９】
次に、領域判定手段１３は、領域検出手段１２によって検出された領域を基に、メニュー映像が表示されている領域（メニュー表示領域）がどこであるかを判定する（図２のＳ３）。この判定例について、図４（ｃ）を用いて説明する。領域判定手段１３は、Ｌ映像から検出した領域１とＲ映像から検出した領域１０のどちらがメニュー表示領域であるかを判定するために、各領域１、１０について、領域の色とその領域の周囲の色との比較を行う。そして、領域判定手段１３は、比較の結果が一致しない方の領域をメニュー表示領域として判定する。領域１の場合、領域１の色は黄と黒であり、その領域１の周囲（例えば左右下）の色は青であるため、比較の結果は一致しないことになる。一方、領域１０の場合、領域１０の色は青であり、その領域１０の周囲（例えば左右下）の色も青であるため、比較の結果は一致することになる。よって、領域判定手段１３は、領域１がメニュー表示領域であると判定する。
【００３０】
次に、表示制御手段１４は、領域判定手段１３によって判定されたメニュー表示領域の映像を、等倍でＬ映像とＲ映像の両方に表示するよう制御する（図２のＳ４）。すなわち、表示制御手段１４は、図４（ｃ）に示すメニュー表示領域１の映像を、等倍でＬ映像とＲ映像の両方に表示するように制御する。これと同時に、表示制御手段１４は、図４（ｃ）に示す領域１０の映像をそれぞれ水平方向に２倍に引き伸ばしてＬ映像とＲ映像の両方に表示するよう制御し、かつ、図４（ｃ）に示す領域２の映像をそれぞれ水平方向に２倍に引き伸ばしてフレームシーケンシャルで表示するように制御する。このような制御により、図４（ｄ）に示す表示が行われる。図４（ｄ）の例では、Ｌ映像とＲ映像を交互に切り替えて表示したときを示している。図４（ｄ）に示す表示により、図４（ｃ）の各領域２に表示される楕円は３次元表示となり、ユーザには立体化された円に見えるようになる一方で、メニュー映像は、２次元表示ではあるが、図５（ｂ）に示すような崩れた表示にはならず、ユーザにとって見易い表示となる。
【００３１】
なお、上記動作例１、２では、表示制御手段１４の制御により、３次元映像が３次元表示されるとともに、メニュー映像が２次元表示される例として説明したが、メニュー映像も３次元表示としてもよい。その場合、表示制御手段１４は、全ての３次元映像の３次元表示よりも手前側（ユーザ側）に、メニュー映像が３次元表示されるように制御する。この制御の結果、例えば図４（ｄ）、図５（ｄ）の例で説明すると、ユーザは、円とメニューの両方が立体化して見えることになるが、円よりもメニューの方が手前に見えるので、メニューを視認し易くなる。
【００３２】
以上説明したように、本実施形態によれば、３Ｄ再生非対応機器から入力された３次元映像の表示と、映像表示装置にて提供されるメニュー映像の表示とを重ねて表示したときの見易さを改善することができる。
【００３３】
以上、本発明の実施形態について説明したが、上記実施形態に限定されるものではなく、その要旨を逸脱しない範囲において種々の変形が可能である。
【００３４】
例えば、上述した実施形態における図１の構成及び図２の動作は、ハードウェアのみならず、ソフトウェアによって実行することも可能である。
【００３５】
ソフトウェアによって実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００３６】
例えば、プログラムは、記録媒体としてのハードディスクやＲＯＭ（Read Only Memory）に予め記録しておくことが可能である。あるいは、プログラムは、ＣＤ−ＲＯＭ（Compact Disc Read Only Memory）、ＭＯ（Magneto Optical）ディスク、ＤＶＤ（Digital Versatile Disc）、ＵＳＢ（Universal Serial Bus）メモリ、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００３７】
なお、プログラムは、上述したようなリムーバブル記録媒体からコンピュータにインストールする他、ダウンロードサイトから、コンピュータに無線転送してもよい。または、ＬＡＮ（Local Area Network）、インターネットといったネットワークを介して、コンピュータに有線で転送してもよい。コンピュータでは、転送されてきたプログラムを受信し、内蔵するハードディスク等の記録媒体にインストールすることが可能である。
【００３８】
また、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【００３９】
１    メニュー映像の表示領域
２    ３次元映像の表示領域
３、４、５    メニュー映像の表示領域
６、７、８、９、１０    Ｌ画像とＲ画像とで色が異なる領域
１１    画素比較手段
１２    領域検出手段
１３    領域判定手段
１４    表示制御手段
【図１】
0005611807.tif 000002
【図２】
0005611807.tif 000003
【図３】
0005611807.tif 000004
【図４】
0005611807.tif 000005
【図５】
0005611807.tif 000006